(57)【要約】【課題】【解決手段】一番長い部材であるＡ部材と、少なくともＡ部材より短い長さの異なった複数の部材とからなる窯業系建築板を用いた施工方法において、Ａ部材の長さはその他の部材のそれぞれの長さを足した長さと等しく、Ａ部材より短い長さの異なった複数の部材は、一番短い部材であるＣ部材と、Ｃ部材よりは長いがＡ部材よりは短いＢ部材とからなり、Ａ部材の長さは５ｎであり、Ｃ部材の長さは２ｎであり、Ｂ部材の長さは３ｎであり、ｎは整数である。  上記の構成によれば、長さの異なる部材を用いて施工するので、多種多様な目地割りについて対応して、窯業系建築板を施工することができ、また、３種類の部材を用いることで、ブロックパタ−ン化しやすく、ブロックパタ−ンとして施工することで、あらかじめ全体的なイメ−ジがつかみやすく、施工が簡単に行え、ランダムな中にも規則性のある目地割りで意匠性、外観の美感が得られる。【選択図】図７
2005105565.tif 000002
【特許請求の範囲】
【請求項１】
一番長い部材であるＡ部材と、少なくともＡ部材より短い長さの異なった複数の部材とからなる窯業系建築板を用いた施工方法において、Ａ部材の長さはその他の部材のそれぞれの長さを足した長さと等しいことを特徴とする窯業系建築板の施工方法
【請求項２】
Ａ部材より短い長さの異なった複数の部材は、一番短い部材であるＣ部材と、Ｃ部材よりは長いがＡ部材よりは短いＢ部材とからなり、Ａ部材の長さは５ｎであり、Ｃ部材の長さは２ｎであり、Ｂ部材の長さは３ｎであり、ｎは整数である請求項１に記載の窯業系建築板の施工方法
【請求項３】
Ａ部材、Ｂ部材、Ｃ部材のそれぞれには表面に凹凸模様が施されており、Ｂ部材とＣ部材とを横に並べて施工したときに、表面凹凸模様が、Ｂ部材を左にＣ部材を右に施工しても、Ｃ部材を左にＢ部材を右に施工しても連続表面凹凸模様になる請求項２に記載の窯業系建築板の施工方法
【請求項４】
Ｂ部材とＣ部材とを並べた表面凹凸模様が、Ａ部材の表面凹凸模様と同じになる請求項２または請求項３に記載の窯業系建築板の施工方法
【発明の詳細な説明】
【技術分野】
【０００１】
本発明は、主に建物の外装材として使用される窯業系建築板に関するものである。
【背景技術】
【０００２】
建物の外壁には、自然石等を模した擬石と言われる窯業系建築板を施工することが多い。
これは、砂岩柄や石積柄を模しているので、非常に重量感があり外装材として高級感がある。
【特許文献１】特開２０００−８０７号公報
【特許文献２】特開平１０−１６７７９４号公報
【発明の開示】
【発明が解決しようとする課題】
【０００３】
しかしながら、１種類の大きさの窯業系建築板を施工する場合には、どうしても窯業系建築板と窯業系建築板との間の目地が一定の場所に形成される。
例えば、窯業系建築板の長さの半分をずらして施工すると、ウマ目地となり、揃えて施工するとイモ目地となり、少しずらして施工すると、階段状に目地が形成され、面白みに欠ける張り上がり感となる。
本発明は、多種多用な目地割りについて対応でき、しかも施工が簡単でランダムな中にも規則性のある目地割りで意匠性、外観の美感が得られる窯業系建築板の施工方法を提供するものである。
【課題を解決するための手段】
【０００４】
上記の課題を解決するために本請求項１に記載の発明は、一番長い部材であるＡ部材と、少なくともＡ部材より短い長さの異なった複数の部材とからなる窯業系建築板を用いた施工方法において、Ａ部材の長さはその他の部材のそれぞれの長さを足した長さと等しいことを特徴とする窯業系建築板の施工方法である。
上記の構成によれば、長さの異なる部材を用いて施工するので、多種多様な目地割りについて対応して、窯業系建築板を施工することができる。
【０００５】
また、本請求項２に記載の発明は、Ａ部材より短い長さの異なった複数の部材は、一番短い部材であるＣ部材と、Ｃ部材よりは長いがＡ部材よりは短いＢ部材とからなり、Ａ部材の長さは５ｎであり、Ｃ部材の長さは２ｎであり、Ｂ部材の長さは３ｎであり、ｎは整数である窯業系建築板の施工方法である。
上記の構成によれば、３種類の部材を用いることで、Ａ部材の長さ（５ｎ）＝Ｃ部材の長さ（２ｎ）＋Ｂ部材の長さ（３ｎ）であるのでブロックパタ−ン化しやすく、ブロックパタ−ンとして施工することで、あらかじめ全体的なイメ−ジがつかみやすく、施工が簡単に行え、ランダムな中にも規則性のある目地割りで意匠性、外観の美感が得られる。
【０００６】
また、本請求項３に記載の発明は、Ａ部材、Ｂ部材、Ｃ部材のそれぞれには表面に凹凸模様が施されており、Ｂ部材とＣ部材とを横に並べて施工したときに、表面凹凸模様が、Ｂ部材を左にＣ部材を右に施工しても、Ｃ部材を左にＢ部材を右に施工しても連続表面凹凸模様になる窯業系建築板の施工方法である。
上記の構成によれば、Ｂ部材を左にＣ部材を右に施工しても、Ｃ部材を右にＢ部材を左に施工しても表面凹凸模様が連続表面凹凸模様になるので、ブロックパタ−ン化がしやすく、また、統一的な意匠性、外観を簡単に得られる。
【０００７】
また、本請求項４に記載の発明は、Ｂ部材とＣ部材とを並べた表面凹凸模様が、Ａ部材の表面凹凸模様と同じになる窯業系建築板の施工方法である。
上記の構成によれば、Ｂ部材とＣ部材とを並べた表面凹凸模様がＡ部材の表面凹凸模様と同じになるので、ブロックパタ−ン化がしやすく、統一的な意匠性、外観を簡単に得られる。
【発明の効果】
【０００８】
本発明の窯業系建築板の施工方法によれば、少なくとも長さの異なるＡ部材、Ｂ部材、Ｃ部材を用いて施工するので、多種多様な目地割りについて対応して窯業系建築板を施工することができ、また、ブロックパタ−ンとして施工することで、あらかじめ全体的なイメ−ジがつかみやすく、施工が簡単に行え、ランダムな中にも規則性のある目地割りで意匠性、外観の美感が得られる。
また、表面凹凸模様を、Ｂ部材を左にＣ部材を右に施工しても、Ｃ部材を左にＢ部材を右に施工しても同じにしたり、Ｂ部材とＣ部材とを並べた表面凹凸模様をＡ部材の表面凹凸模様と同じにしたりすることによってブロックパタ−ン化しやすく、統一的な意匠性、外観を簡単に得ることができる。
【発明を実施するための最良の形態】
【０００９】
図面を用いて、本発明を実施するための最良の形態を説明する。
図１、図２は本発明の施工方法に使用する窯業系建築板を３種類用いた場合の説明図である。
Ａ部材（Ａと省略）は５ｎ、Ｂ部材（Ｂと省略）は３ｎ、Ｃ部材（Ｃと省略）は２ｎの長さを有している。
これらの部材を組み合わせることで、多種にわたる長さを構成することができる。
例えば、図１のように、ＣＣだと４n、ＢＢだと６ｎ、ＡＡだと１０ｎ、ＢＣだと５ｎ、ＡＣだと７ｎ、ＡＢだと８ｎ、図２のように、ＣＣＣだと６ｎ、ＢＣＣだと７ｎ、ＡＣＣだと９ｎ、ＢＢＣだと８ｎ、ＡＢＣだと１０ｎ、ＡＡＣだと１２ｎ、ＢＢＢだと９ｎ、ＡＢＢだと１１ｎ、ＡＡＢだと１３ｎ、ＡＡＡだと１５ｎである。
これを長さ順に並べ変えたのが、図３、図４である。
Ａ、Ｂ、Ｃ３つの窯業系建築板の中から三つを選ぶことによって、１４ｎを除く２ｎから１５ｎまでの長さが施工できることになる。
１４ｎは１０ｎ＋４ｎで施工できる。
従って、ほぼすべての長さについて選択でき、多種多様な目地割りについて対応できる。
例えば、図５のように、意識的に階段状の縦目地を形成することができる。
【００１０】
図６、図７、図８は本発明の施工方法に使用する窯業系建築板を、ある個数まとめて一つのブロックパタ−ンとした説明図である。
図６はＡ、Ｂ、Ｃをそれぞれ二つ以下で、Ａの長さを基準として３段施工したものをブロックパタ−ンとしたものである。
つまり、ＣＢ（１段目）−Ａ（２段目）−ＢＣ（３段目）、ＢＣ−Ａ−ＣＢ、ＣＢ−Ａ−ＣＢ、ＢＣ−Ａ−ＢＣ、ＣＢ−ＢＣ−Ａ、ＢＣ−ＣＢ−Ａ、ＣＢ−ＣＢ−Ａ、ＢＣ−ＢＣ−Ａ、Ａ−ＣＢ−ＢＣ、Ａ−ＢＣ−ＣＢ、Ａ−ＣＢ−ＣＢ、Ａ−ＢＣ−ＢＣ、Ａ−ＣＢ−Ａ、Ａ−ＢＣ−Ａ、Ａ−Ａ−ＣＢ、Ａ−Ａ−ＢＣ、ＣＢ−Ａ−Ａ、ＢＣ−Ａ−Ａの１８パタ−ンが考えられる。
このブロックパタ−ンを一つのまとまりとし、イモ目地施工したものが図７、ウマ目地施工したものが図８である。
あまりに小さな窯業系建築板を順番に施工していくと、手間ばかり掛かり全体的なイメ−ジがつかめず、また、一つの窯業系建築板がゆがんで施工されると、あとから大きなゆがみとなってしまい、最初から施工し直さなければならない。
しかし、ブロックパタ−ンとして施工することで、あらかじめ全体的なイメ−ジがつかみやすく、施工が簡単に行え、ランダムな中にも規則性のある目地割りで意匠性、外観の美感が得られる。
また、ブロックパタ−ン中で多少のゆがみを吸収することができ、直すにしてもブロック単位で直せば済む。
今回は、Ａ、Ｂ、Ｃをそれぞれ二つ以下で３段施工したものについて説明したが、もちろん他のパタ−ンをブロックとしてもよい。
例えば、Ｃの長さを基準として５段施工すれば、正方形のブロックパタ−ンが得られる。
【００１１】
また、前例では、Ａ、Ｂ、Ｃの３種類の場合を前提に記載したが、図９のように、一番長い部材であるＡと、Ａよりも短い長さの異なった複数の部材が三つ以上あっても、本発明の実施の形態を防げるものではない。
【実施例１】
【００１２】
図１０は、Ａ、Ｂ、Ｃのそれぞれ表面に凹凸模様が施されており、ＢとＣとを横に並べて施工したときに、表面凹凸模様がＢを左にＣを右に施工しても、Ｃを左にＢを右に施工しても同じ連続表面凹凸模様になる窯業系建築板の施工方法であり、かつ、ＢとＣとを並べた表面凹凸模様がＡの表面凹凸模様と同じになる例である。
Ｃは５本の縦溝にて六つの凸模様が形成されており、Ｂは８本の縦溝にて九つの凸模様が形成されており、Ａは１４本の縦溝にて十五個の凸模様が形成されている。
ＢとＣとの順序で並べて施工しても、ＣとＢとの順序で並べて施工しても、連続表面凹凸模様になり、Ａと同じ表面凹凸模様になる。
【実施例２】
【００１３】
図１１も、図１０同様にＢとＣとの順序で並べても、ＣとＢとの順序で並べても同じ連続表面凹凸模様になり、かつ、Ａと同じ表面凹凸模様になる窯業系建築板の施工方法の例である。
Ｃは下部に石柄が二つ並んでおり、Ｂは下部に石柄が三つ並んでおり、Ａは下部に石柄が五つ並んだ形状を有している。
【実施例３】
【００１４】
図１２は、ＢとＣとの順序で並べても、ＣとＢとの順序で並べても連続表面凹凸模様になる窯業系建築板の施工方法であり、かつ、ＣとＢとを並べた表面凹凸模様がＡの表面凹凸模様と同じになる例である。
Ｃは中央付近が凸になった柄で、Ｂも中央付近が凸になっているが、Ｂは凸部の幅が広くなっている。
ＣとＢとの順序で施工した場合は、幅の広い凸部が右側にきて、ＢとＣの順序で施工した場合には、幅の広い凸部が左側にくる。
ＣとＢとの左右端は同じ直線形状になっているので、ＣとＢ、ＢとＣとの施工で表面凹凸模様は連続することができる。
また、Ａは、ＣとＢとを並べた形状を有している。
【実施例４】
【００１５】
図１３は、ＣとＢとを並べた表面凹凸模様がＡの表面凹凸模様と同じになる窯業系建築板の施工方法の例である。
Ｃは右端から、全長の１／４程度の位置に縦溝があり、Ｂは右端から、全長の１／３程度の位置に縦溝があり、Ａは右端から、全長の１／５程度の位置と７／１０程度の位置に縦溝があり、ＣとＢとを並べた表面凹凸模様はＡの表面凹凸模様と同じである。
【実施例５】
【００１６】
図１４も、ＣとＢとを並べた表面凹凸模様がＡの表面凹凸模様と同じになる窯業系建築板の施工方法の例である。
Ｃ、Ｂともに石積模様で、ＣとＢとを並べた石積模様とＡの石積模様とが同じである。
【実施例６】
【００１７】
図１５は、一番短い部材であるＣと、中間の長さであるＢと、一番長い部材であるＡとの三つの部材からなる窯業系建築板の施工方法において、Ｃの長さとＢの長さとを足した長さはＡの長さと等しい例である。
ＣとＢとを並べた表面凹凸模様はＡとは一致しないが、縦溝によって区分された分割模様が同じ幅であるので、混ぜて施工しても違和感はない。
【実施例７】
【００１８】
図１６も、一番短い部材であるＣと、中間の長さであるＢと、一番長い部材であるＡとの三つの部材からなる窯業系建築板の施工方法において、Ｃの長さとＢの長さとを足した長さはＡの長さと等しい例である。
【産業上の利用可能性】
【００１９】
本発明によれば、多種多様な目地割りに対応でき、ブロックパタ−ンとして施工することで、あらかじめ全体的なイメ−ジがつかみやすく、施工が簡単に行え、ランダムな中にも規則性のある目地割りで意匠性、外観の美感が得られる窯業系建築板として使用することができる。
【図面の簡単な説明】
【００２０】
【図１】本発明の施工方法に使用する窯業系建築板の説明図
【図２】本発明の施工方法に使用する窯業系建築板の別の説明図
【図３】本発明の施工方法に使用する窯業系建築板を長さ順に並べた説明図
【図４】本発明の施工方法に使用する窯業系建築板を長さ順に並べた別の説明図
【図５】本発明の施工方法に使用する窯業系建築板を施工した施工説明図
【図６】本発明の施工方法に使用する窯業系建築板をブロックパタ−ンとした説明図
【図７】本発明の施工方法に使用する窯業系建築板のブロックパタ−ンをイモ目地に施工した説明図
【図８】本発明の施工方法に使用する窯業系建築板のブロックパタ−ンをウマ目地に施工した説明図
【図９】本発明の施工方法に使用する窯業系建築板の更に別の説明図
【図１０】実施例１の説明図
【図１１】実施例２の説明図
【図１２】実施例３の説明図
【図１３】実施例４の説明図
【図１４】実施例５の説明図
【図１５】実施例６の説明図
【図１６】実施例７の説明図
【符号の説明】
【００２１】
Ａ    一番長い部材
Ｂ    中間の長さである部材
Ｃ    一番短い部材
【図１】
2005105565.tif 000003
【図２】
2005105565.tif 000004
【図３】
2005105565.tif 000005
【図４】
2005105565.tif 000006
【図５】
2005105565.tif 000007
【図６】
2005105565.tif 000008
【図７】
2005105565.tif 000009
【図８】
2005105565.tif 000010
【図９】
2005105565.tif 000011
【図１０】
2005105565.tif 000012
【図１１】
2005105565.tif 000013
【図１２】
2005105565.tif 000014
【図１３】
2005105565.tif 000015
【図１４】
2005105565.tif 000016
【図１５】
2005105565.tif 000017
【図１６】
2005105565.tif 000018